(57)【要約】【課題】  比較的弱い力で充分に押さえ蓋を押し込むことができる水切り器を提供すること。【解決手段】  底面１０１と壁面１０２とからなり水切り用の貫通孔１１０が形成された水切り器本体１０３の内部に生ゴミ等を収納し、その上から押さえ蓋１０４をのせ、ハンドル部材１０６の他端１０６ｂを適当なハンドル部材用貫通孔１１２に挿入して、支持部材１０５に固定し、ハンドル部材１０６の一端１０６ａを下方向に押圧することにより、このハンドル部材１０６の下方に延びる押圧部材１０７で押さえ蓋１０４を下方に押圧し、水切り器本体１０３の内部に収納されている生ゴミ等の水気を切ることができるようにした水切り器１００を提供する。【選択図】    図１
2005162404.tif 000002
【特許請求の範囲】
【請求項１】
底面と、前記底面の周縁側から直立する壁面と、を備え、前記底面又は前記壁面の内少なくとも何れか一方には水切り用の貫通孔が形成された水切り器本体と、
前記壁面の内側面に沿って摺動可能な押さえ蓋と、
前記水切り器本体の内部に前記押さえ蓋を収納した状態で、前記押さえ蓋を上方から押圧する押圧手段と、
を備えることを特徴とする水切り器。
【請求項２】
前記押圧手段は、前記壁面よりも上方に突出するように前記壁面に取り付けられた支持部材と、棒状のハンドル部材と、前記ハンドル部材の両端から所定の距離を離して前記ハンドル部材から下方に延びる押圧部材と、からなり、
前記ハンドル部材の一端を上下方向に移動させることができるように前記ハンドル部材の他端を前記支持部材に連結することで、前記押圧部材により前記押さえ蓋を上方から押圧することができるようにしたことを特徴とする請求項１に記載の水切り器。
【請求項３】
前記底面は、第一の辺と第二の辺とが垂直に交わるように、直角三角形に形成されており、
前記壁面は、前記第一の辺側から直立する第一の壁面と、前記第二の辺側から直立する第二の壁面と、を備えており、
前記支持部材は、前記第一の壁面と前記第二の壁面とにより形成されるコーナーに取り付けられていることを特徴とする請求項１又は２に記載の水切り器。
【請求項４】
前記支持部材は、前記壁面に対して着脱自在に取り付けられていることを特徴とする請求項１乃至３の何れか一項に記載の水切り器。
【請求項５】
前記支持部材は、前記壁面に対して上下方向に伸縮自在に取り付けられていることを特徴とする請求項１乃至３の何れか一項に記載の水切り器。
【請求項６】
前記支持部材は、板状部材により形成されており、
前記板状部材に形成されたハンドル部材用貫通孔に前記他端を挿入することにより、前記一端を上下方向に移動することができるように連結したことを特徴とする請求項１乃至５の何れか一項に記載の水切り器。
【請求項７】
前記ハンドル部材用貫通孔は、上下方向に複数形成されていることを特徴とする請求項６に記載の水切り器。
【請求項８】
前記支持部材は、複数の環状体を連結したチェーンにより形成されており、
一の前記環状体に前記他端を挿入することにより、前記一端を上下方向に移動させることができるように連結したことを特徴とする請求項１乃至４の何れか一項に記載の水切り器。
【請求項９】
前記押圧部材と前記押さえ蓋とは着脱自在に取り付けられていることを特徴とする請求項１乃至８の何れか一項に記載の水切り器。
【請求項１０】
前記押圧部材は、前記ハンドル部材に対して回動自在に取り付けられていることを特徴とする請求項９に記載の水切り器。
【請求項１１】
前記押圧部材の先端には、前記ハンドル部材の長さ方向とは垂直の方向を回転軸とするローラーが取り付けられており、前記押さえ蓋に対して前記ローラーが接触するようにしていることを特徴とする請求項１乃至８の何れか一項に記載の水切り器。
【発明の詳細な説明】
【技術分野】
【０００１】
本発明は、水切り器に関し、特に、水切り用の押さえ蓋を有する水切り器に関する。
【背景技術】
【０００２】
台所に設置されるシンク内のコーナーには、料理の途中などに出る野菜くずや食べ残した食料といった生ゴミ等を入れて、この生ゴミ等の水気を切るために使用される水切り器（三角コーナー）が、使用されている。
【０００３】
この点、大量生産・大量消費の進んだ現在の日本においては、大量消費に伴うゴミ問題が深刻になっており、生ゴミ等の水気を充分に切ることにより、ゴミの体積を小さくし、軽量化を図ることができる。
【０００４】
そして、この水切り器の内部に入れられた生ゴミ等の水気を充分に切るために、例えば、特許文献１に記載されているような水切り用の押さえ蓋を有する水切り器がある。
【０００５】
図５に表されているように、特許文献１に記載されている水切り器５００は、水切り用の貫通孔５０１を多数形成した底面５０２と、この底面５０２の周縁から直立する側壁５０３と、から形成される水切り器本体５０４の中に生ゴミ等を入れて、その上方から、この水切り器本体５０４内に収納することができる大きさ・形状に形成された押さえ蓋５０５により上方から押圧することで、水切り器本体５０４の中に収納された生ゴミ等の水気を切ることができるようにされていた。
【特許文献１】実開平７−８３０６
【発明の開示】
【発明が解決しようとする課題】
【０００６】
しかしながら、従来の水切り器５００では、押さえ蓋の上面取り付けられている取っ手５０６を握って、この押さえ蓋５０５を水切り器本体５０４の内部に押し込むようにしているため、この押さえ蓋５０５を押し込む際に比較的強い力が必要であるとともに、取っ手５０６を握った手が水切り器本体５０４の側壁５０３によって干渉され、充分に押さえ蓋５０４を押し込むことができない場合もあった。
【０００７】
そこで、本発明は、比較的弱い力で充分に押さえ蓋を押し込むことができる水切り器を提供することを目的とする。
【課題を解決するための手段】
【０００８】
以上の課題を解決するため、本発明は、底面と、前記底面の周縁側から直立する壁面と、を備え、前記底面又は前記壁面の内少なくとも何れか一方には水切り用の貫通孔が形成された水切り器本体と、前記壁面の内側面に沿って摺動可能な押さえ蓋と、
前記水切り器本体の内部に前記押さえ蓋を収納した状態で、前記押さえ蓋を上方から押圧する押圧手段と、を備えることを特徴とする水切り器を提供する。
【０００９】
このように、水切り器本体の壁面の内側面に沿って摺動可能な押さえ蓋を押圧部材により押し込むことができるようにすることで、水切り器本体の壁面に手がぶつかることなく、この押さえ蓋を水切り器本体の内部に充分に押し込むことができるようになる。
【００１０】
ここで、押圧手段については、水切り器本体の壁面よりも上方に突出するようにこの壁面に取り付けられた支持部材と、棒状のハンドル部材と、ハンドル部材の両端から所定の距離を離してこのハンドル部材から下方に延びる押圧部材と、から構成し、このハンドル部材の一端を上下方向に移動させることができるようにハンドル部材の他端を支持部材に連結することで、この押圧部材により押さえ蓋を上方から押圧することができるようにすることができる。
【００１１】
このように、ハンドル部材の一端を上下方向に移動させることができるようにハンドル部材の他端を支持部材に連結し、この押圧部材により押さえ蓋を上方から押圧するようにすることで、テコの原理を用いて比較的弱い力で押さえ蓋を水切り器本体の内部に押し込むことができるようになる。
【００１２】
また、水切り器本体の形状については、生ゴミ等を収納することができる範囲で任意の形状を選択することができるが、例えば、底面は、第一の辺と第二の辺とが垂直に交わるように、直角三角形に形成されており、壁面は、第一の辺側から直立する第一の壁面と、第二の辺側から直立する第二の壁面と、を備えるようにすることができ、この場合には、押圧部材の支持部材は、第一の壁面と第二の壁面とにより形成されるコーナーに取り付けられていることが望ましい。
【００１３】
また、支持部材については、水切り器本体の壁面に対して着脱自在に取り付けられているようにし、水切り器本体の内部に収納された生ゴミ等の水を切るとき以外はこの支持部材を取り外しておくことで、この支持部材が邪魔になることがなくなる。
【００１４】
さらに、支持部材は、壁面に対して上下方向に伸縮自在に取り付けておくことによっても、水切り器本体の内部に収納された生ゴミ等の水を切るとき以外はこの支持部材を縮めておくことで、この支持部材が邪魔になることがなくなる。
【００１５】
ここで、支持部材の形状については、水切り器本体の壁面よりも上方に突出し、ハンドル部材の他端を連結することができる範囲で適時選択することができる設計事項であるが、支持部材を板状部材により形成し、かつ、ハンドル部材の他端を挿入することができるハンドル部材用貫通孔を形成しておくことができる。
【００１６】
なお、このハンドル部材用貫通孔については、上下方向に複数形成しておくことで、水切り器本体の内部に収納された生ゴミ等の量に合わせてハンドル部材の他端を挿入する貫通孔を選択することができるようになる。
【００１７】
また、複数の環状体を連結したチェーンにより支持部材を形成し、チェーンを形成する環状体のいずれにハンドル部材の他端を挿入するかを選択することにより、水切り器本体の内部に収納された生ゴミ等の量に合わせてハンドル部材の他端を挿入する位置を変えることができるようになる。
【００１８】
ここで、押圧部材と押さえ蓋とは一体的に形成することも可能であるが、押圧部材の先端は、押さえ蓋に着脱自在に取り付けることができるようにしておくことが望ましい。
【００１９】
また、押圧部材とハンドル部材とについても回動自在に取り付けられていることが望ましい。
【００２０】
なお、押圧部材と押さえ蓋とを取り付ける代わりに、押圧部材の先端にハンドル部材の長さ方向とは垂直の方向を回転軸とするローラーを取り付けておき、押さえ蓋に対してローラーが接触するようにしておくこともできる。
【発明の効果】
【００２１】
以上のように、本発明によれば、比較的弱い力で充分に押さえ蓋を押し込むことができる水切り器を提供することができる。
【発明を実施するための最良の形態】
【００２２】
図１は、本発明の第一の実施形態に係る水切り器１００の分解斜視図である。
【００２３】
本実施形態に係る水切り器１００は、水切り器本体１０３と、押さえ蓋１０４と、押圧手段１０８と、により構成されている。
【００２４】
水切り器本体１０３は、底面１０１と、底面１０１の周縁側から直立する壁面１０２とにより形成されている。
【００２５】
ここで、底面１０１は、垂直に交わる第一の辺１０１ａ及び第二の辺１０１ｂにより、直角三角形に形成されており、本実施形態では、第一の辺１０１ａ及び第二の辺１０１ｂを等しい長さにすることにより直角二等辺三角形に形成されている。
【００２６】
そして、このように底面１０１を直角二等辺三角形に形成することにより、第一の辺１０１ａから直立する第一の壁面１０２ａと第二の辺１０１ｂから直立する第二の壁面１０２ｂ同士も垂直に交わるようになっている。
【００２７】
これは、キッチンに設けられているシンクのコーナーに合わせてこの水切り器１００を置くことができるようにするためであり、このような形状に限定されるわけではない。
【００２８】
なお、水切り器本体１０３を形成する底面１０１及び壁面１０２の大きさについては、この水切り器１０３に生ゴミ等を入れるのに便利であるように適時選択することができる設計事項である。
【００２９】
また、底面１０１及び壁面１０２には、水切り用の貫通孔１１０が設けられている。
【００３０】
この貫通孔１１０の大きさ・形状・数・位置についても、生ゴミ等の水を切るのに便利な範囲で適時選択することができる設計事項である。
【００３１】
押さえ蓋１０４は、板状部材により形成されており、水切り器本体１０３の内部に収納した際に、押さえ蓋１０４の周縁１０４ａと水切り器本体１０３の壁面１０２の内側面１０２ｃとの間に適度な隙間が空くような大きさ・形状に形成されている。
【００３２】
なお、この隙間の大きさについては、水切り器本体１０３の壁面１０２の内側面１０２ｃに沿って押さえ蓋１０４を摺動させることによって、水切り器本体１０３の内部に入れた生ゴミ等の水を切ることができる範囲で適時選択することができる設計事項である。
【００３３】
また、この押さえ蓋１０４においても、水切り用の貫通孔１１０が設けられているが、必ずしもこのような貫通孔１１０を設ける必要はない。
【００３４】
押圧手段１０８は、支持部材１０５と、ハンドル部材１０６と、押圧部材１０７と、により構成されている。
【００３５】
支持部材１０５は、板状部材からなり、第一の壁面１０２ａと第二の壁面１０２ｂとが垂直に交わるコーナーに設けられており、図２（水切り器本体１０３及び支持部材１０５の横断面図）に表されているように、このコーナーの形状に合わせて湾曲した形状に形成されている。
【００３６】
また、支持部材１０５は、第一の壁面１０２ａ及び第二の壁面１０２ｂの外側面に形成されている二つのＬ字状レール１１１Ａ、１１１Ｂの間に挟み込まれているため、このＬ字状レール１１１Ａ、１１１Ｂに沿って摺動自在にされている。
【００３７】
なお、この二つのＬ字状レール１１１Ａ、１１１Ｂは、垂直方向に向かって延びるように形成されているため、支持部材１０５は、上下方向（図１のＸ、Ｘ’方向）に摺動することができ、水切り器本体１０３に対して伸縮自在にされている。
【００３８】
そして、支持部材１０５の下端には、外側に突出したストッパー１０５ａが設けられているため、支持部材１０５を上方に引っ張った際にも、所定の位置でストッパー１０５ａがＬ字状レールの下端に引っかかることで、この支持部材１０５が上方に抜けてしまうことを防止している。
【００３９】
支持部材１０５には、後述するハンドル部材１０６の他端１０６ｂを挿入することができるように、ハンドル部材用貫通孔１１２が、支持部材１０５の水平方向に向かって貫通するように形成されている。
【００４０】
このハンドル部材用貫通孔１１２の形状・大きさについては、後述するハンドル部材１０６の他端１０６ｂを挿入してこの他端１０６ｂを固定させ、ハンドル部材１０６の一端１０６ａを上下方向に動かすことができる範囲で、適時選択することができる設計事項である。
【００４１】
なお、本実施形態においては、水切り器本体１０３の内部に入れられる生ゴミの量に応じて、ハンドル部材１０６の他端１０６ｂを挿入するハンドル部材用貫通孔１１２を選択することができるように、支持部材１０５の上下方向に四つのハンドル部材用貫通孔１１２を設けているが、この数については適時選択することができる設計事項である。
【００４２】
ハンドル部材１０６は、棒状部材により形成されており、他端１０６ｂを支持部材１０５のハンドル部材用貫通孔１１２に挿入することができるように形成されている。
【００４３】
なお、本実施形態においては、他端１０６ｂ側にハンドル部材１０６の幅方向から軸線に向かって切り欠き１１３を設けることにより、他端１０６ｂをハンドル部材用貫通孔１１２に挿入した際に、この切り欠き１１３が支持部材１０５に引っかかることで、ハンドル部材１０６と支持部材１０５とが固定されるようにしている。
【００４４】
従って、この切り欠き１１３の大きさ・形状については、支持部材１０５に引っ掛けることができる程度の大きさ・形状とする必要があるとともに、この切り欠き１１３が支持部材１０５に引っかかった状態で、ハンドル部材１０６の一端１０６ａを上下動させることができるように、切り欠き１１３と支持部材１０５との間に適度な隙間が空くようにする必要がある。
【００４５】
なお、この隙間の大きさについては、ハンドル部材１０６の一端１０６ａを上下動させることができる範囲で適時選択することができる設計事項である。
【００４６】
ハンドル部材１０６の一端１０６ａ及び他端１０６ｂの間には、ハンドル部材１０６から下方に延びる押圧部材１０７が設けられている。
【００４７】
押圧部材１０７は、水平方向であって、ハンドル部材１０６の長さ方向に対して垂直となる方向を回転軸とする軸部材１１４により、ハンドル部材１０６に対して回動自在に連結されている。
【００４８】
これは、押圧部材１０７と、押圧部材１０７の先端１０７ａに取り付けられる押さえ蓋１０４と、の間の角度がなるべく垂直となるようにするためである。
【００４９】
また、押圧部材１０７は、ハンドル部材１０６の一端１０６ａと他端１０６ｂの間に設けられるが、ハンドル部材１０６の一端１０６ａと他端１０６ｂとの間のいずれの位置に設けるかは、ハンドル部材の一端１０６ａを上下動させやすいように適時選択することができる設計事項であるが、ハンドル部材１０６の他端１０６ｂに近づけるほど、テコの原理により、より弱い力で同様の押圧力を押さえ蓋１０４に及ぼすことができるようになる。
【００５０】
なお、押圧部材１０７と押さえ蓋１０４とは、押さえ蓋１０４に設けられている嵌合用凹部１１５に押圧部材１０７の先端１０７ａを嵌合させることにより、着脱自在にされている。
【００５１】
以上のように形成される水切り器１００は、水切り器本体１０３の内部に生ゴミ等を収納し、その上から押さえ蓋１０４をのせ、ハンドル部材１０６の他端１０６ｂを適当なハンドル部材用貫通孔１１２に挿入して、支持部材１０５に切り欠き１１３を引っ掛けて、押圧部材１０７の先端１０７ａを押さえ蓋１０４の上面に形成されている嵌合用凹部１１５に嵌合させて、ハンドル部材１０６の一端１０６ａを下方向に押圧することにより、この押圧力が押圧部材１０７を伝って、押さえ蓋１０４に伝達し、水切り器本体１０３の内部に収納されている生ゴミ等の水気を切ることができる。
【００５２】
なお、以上に記載した実施形態においては、支持部材１０５が水切り器本体１０３に対して上下方向に摺動自在に取り付けられているが、このような形態に限定されるわけではなく、支持部材１０５が水切り器本体１０３よりも上方に位置するように固定することも可能であり、また、支持部材１０５と水切り器本体１０３とを一体的に形成することも可能である。
【００５３】
図３は、本発明の第二の実施形態に係る水切り器２００の分解斜視図である。
【００５４】
本実施形態に係る水切り器２００も、第一の実施形態と同様に、水切り器本体２０３と、押さえ蓋２０４と、押圧手段２０８と、により構成されている。
【００５５】
水切り器本体２０３は、図４（水切り器本体２０３、フック２１７及び支持部材２０５の側面図）に表されているように、壁面２０２の外側面２０２ｄに後述する支持部材２０５を着脱自在に取り付けることができるフック２１７が形成されている点で第一の実施形態に係る水切り器本体１０３と異なるのみであるため、以下、この点についてのみ説明する。
【００５６】
本実施形態に係る水切り器本体２０３には、第一の壁面２０２ａと第二の壁面２０２ｂとの間のコーナーの外側面２０２ｄに、後述する支持部材２０５を着脱自在に取り付けることができるフック２１７が形成されている。
【００５７】
フック２１７は、図４に表されているように、第一の壁面２０２ａと第二の壁面２０２ｂとの間のコーナーの外側面から水平方向に延びるスペーサー部２１７ａと、ストッパー部２１７ａの先端から下方に延びるアーム部２１７ｂと、アーム部２１７ｂの下端からコーナーの外側面２０２ｄの方向に延び、この外側面２０２ｄとの間に所定の間隙２１７ｄを有するストッパー部２１７ｃと、により形成されている。
【００５８】
そして、ストッパー部２１７ｃと外側面２０２ｄとの間の間隙２１７ｄから、後述する支持部材２０５を形成する環状体２１８を挿入し、この環状体２１８の中にフック２１７を通すことにより、この支持部材２０５を着脱自在に取り付けることができるようにしている。
【００５９】
押さえ蓋２０４は、第一の実施形態に係る押さえ蓋２０４と同様に、板状部材により形成されており、水切り器本体２０３の内部に収納した際に、押さえ蓋２０４の周縁２０４ａと水切り器本体２０３の壁面２０２の内側面２０２ｃとの間に適度な隙間が空くような大きさ・形状に形成されている。
【００６０】
なお、第一の実施形態に係る押さえ蓋１０４においては、その上面に押圧部材１０７の先端１０７ａを嵌合させる嵌合用凹部１１５が設けられていたが、本実施形態においてはこのような嵌合用凹部１１５は設けられてないが、水切り器本体２０３の内部に収納された押さえ蓋２０４を取り出すための取っ手２１９が、押さえ蓋２０４の上面から上方に突出するように形成されている。
【００６１】
また、本実施形態における蓋２０４においても、水切り用の貫通孔１１０が設けられているが、必ずしもこのような貫通孔１１０を設ける必要はない。
【００６２】
押圧手段２０８は、第一の実施形態と同様に、支持部材２０５と、ハンドル部材２０６と、押圧部材２０７と、により構成されている。
【００６３】
支持部材２０５は、環状部材２１８を複数連結することにより形成されており、環状部材２１８の大きさについては、後述するハンドル部材２０６の他端２０６ｂを挿入することができる程度の大きさのものを用いている。
【００６４】
このように、本実施形態においては、ハンドル部材２０６の他端２０６ｂを挿入することができる環状部材２１８により支持部材２０５を形成しているため、水切り器本体２０３の内部に入れられる生ゴミの量に応じて、ハンドル部材２０６の他端２０６ｂを挿入する環状部材２１８を選択することができる。
【００６５】
なお、支持部材２０５を形成する環状部材２１８の数については、水切り器本体２０３の内部に入れられる生ゴミの量に応じて、ハンドル部材２０６の他端２０６ｂを挿入する環状部材２１８を選択することができる範囲で適時選択することができる設計事項である。
【００６６】
また、支持部材２０５は、前述したように、水切り器本体２０３の壁面２０２に設けられているフック２１７に引っ掛けることにより、この水切り器本体２０３に対して着脱自在に固定することができるようにされている。
【００６７】
ここで、本実施形態のように支持部材２０５を環状体２１８により形成する場合には、ハンドル部材２０６の他端２０６ｂを挿入する際に、この他端２０６ｂを挿入した環状体２１８と水切り器本体２０３の壁面２０２に設けられているフック２１７に引っ掛ける環状体２１８との間に弛みが生じないようにする必要がある。
【００６８】
ハンドル部材２０６は、第一の実施形態と同様に、棒状部材により形成されており、他端２０６ｂ側に切り欠き１１３が設けられているが、第一の実施形態と異なり、ハンドル部材２０６と押圧部材２０７とが連続して設けられている。
【００６９】
押圧部材２０７の先端には、水平方向であって、押圧部材２０７の長さ方向に対して垂直となる方向を回転軸とする軸部材２２０により、押圧部材２０７に対して回動自在に連結されているローラ２２１が設けられている。
【００７０】
これは、押圧部材２０７の先端に接触する押さえ蓋２０４を傷つけないために設けられたものであって、必ずしも必要とされるものではない。
【００７１】
以上のように形成される水切り器２００は、水切り器本体２０３の内部に生ゴミ等を収納し、その上から押さえ蓋２０４をのせ、ハンドル部材２０６の他端２０６ｂを支持部材２０５を形成している環状体２１８に挿入して、押圧部材２０７の先端に設けられているローラ２２１を押さえ蓋２０４の上面に接触させて、ハンドル部材２０６の一端２０６ａを下方向に押圧することにより、この押圧力が押圧部材２０７を伝って、押さえ蓋２０４に伝達し、押さえ蓋２０４により、水切り器本体２０３の内部に収納されている生ゴミ等の水気を切ることができる。
【００７２】
なお、本実施形態においては、支持部材２０５を環状体２１８を連結することにより形成した場合には、ハンドル部材２０６の一端２０６ａを下方に押圧した際に、ハンドル部材２０６の他端２０６ｂには、上方に向かって力が作用するため、ハンドル部材２０６の他端２０６ｂをこの環状体２１８挿入する際には、この他端２０６ｂを挿入した環状部材２１８と水切り器本体２０３の壁面２０２に設けられているフック２１７に引っ掛ける環状部材２１８との間に弛みが生じないようにすることで、この他端２０６ｂが固定されて、一端２０６ａへの押圧力が押圧部材２０７に伝わることとなる。
【００７３】
また、以上に記載した実施形態においては、支持部材２０５が水切り器本体２０３に対して着脱自在に固定することができるようにされているが、このような形態に限定されるわけではなく、支持部材２０５を水切り器本体２０３に固定することも可能である。
【００７４】
以上に記載した水切り器１００、２００は、全てステンレスにより形成されているが、これに限定されるわけではなく、銅その他の金属、プロポリピレン樹脂その他の樹脂により形成することも可能である。
【図面の簡単な説明】
【００７５】
【図１】第一の実施形態に係る水切り器１００の分解斜視図。
【図２】水切り器本体１０３及び支持部材１０５の横断面図。
【図３】第二の実施形態に係る水切り器２００の分解斜視図。
【図４】水切り器本体２０３、フック２１７及び支持部材２０５の側面図。
【図５】従来例を表す上方斜視図。
【符号の説明】
【００７６】
１００、２００  水切り器
１０１  底面
１０２、２０２  壁面
１０３、２０３  水切り器本体
１０４、２０４  押さえ蓋
１０５、２０５  支持部材
１０６、２０６  ハンドル部材
１０７、２０７  押圧部材
１０８、２０８  押圧手段
１１０  貫通孔
１１２  ハンドル部材用貫通孔
２１８  環状体
【図１】
2005162404.tif 000003
【図２】
2005162404.tif 000004
【図３】
2005162404.tif 000005
【図４】
2005162404.tif 000006
【図５】
2005162404.tif 000007